(57)【要約】【課題】一部分も隠すことなく、貼付物全体を見せることができ、また、脱落のおそれもなく、しかも、貼付物を非破壊で固定することができる多機能ボードを提供する。【解決手段】多機能ボード１−１は、ボード２と貼付部３と計測部４とを備える。貼付部３は、１対の吸着電極３１，３２と、吸着電極３１，３２に直流電圧を供給する電源部３０とを有している。吸着電極３１，３２は、誘電体層３１ａ，３２ａに被覆されており、電源部３０は、電池３５と昇圧回路３６とで構成されている。計測部４は、時計４０と３つのタイマ４１〜４３とで構成され、電池３５に接続されている。これにより、貼付物を、吸着電極３１，３２の静電気力によって、貼付部３の表面に貼り付けることができる。【選択図】図１
0003197389.tif 000002
【実用新案登録請求の範囲】
【請求項１】
ボード状の基材上に、時間の経過を計測可能な計測部とメモ用紙等の貼付物を貼り付けるための貼付部とを備えた多機能ボードであって、
上記貼付部は、誘電体層で被覆された１対の吸着電極と、これら１対の吸着電極に所定の直流電圧を印加するための電源部とを備え、上記１対の吸着電極による静電気力によって、上記貼付物を上記誘電体層の表面に吸着する部分である、
ことを特徴とする多機能ボード。
【請求項２】
請求項１に記載の多機能ボードにおいて、
上記電源部は、電池と、この電池の電圧を昇圧して上記１対の吸着電極に印加する昇圧回路とを有する、
ことを特徴とする多機能ボード。
【請求項３】
請求項１に記載の多機能ボードにおいて、
上記電源部は、交流電圧を直流電圧に変換する交流／直流変換器と、交流／直流変換器からの出力電圧を昇圧して上記１対の吸着電極に印加する昇圧回路とを有する、
ことを特徴とする多機能ボード。
【請求項４】
請求項１ないし請求項３のいずれかに記載の多機能ボードにおいて、
上記計測部は、時計又はタイマーの一方又は双方を有する、
ことを特徴とする多機能ボード。
【請求項５】
請求項１ないし請求項４のいずれかに記載の多機能ボードにおいて、
上記吸着電極は、カーボンインクで形成されている、
ことを特徴とする多機能ボード。
【考案の詳細な説明】
【技術分野】
【０００１】
この考案は、メモ用紙，レシート及びレシピ用紙等を貼り付けることができる多機能ボードに関するものである。
【背景技術】
【０００２】
キッチン等においては、メモ用紙，レシート及びレシピ等を記載した用紙を、画鋲によって木製板上に刺して固定したり、マグネットによって金属板上に固定することが一般的である。料理人等のユーザは、かかる状態で、これらの用紙を見ながら料理等の作業をする。
具体的には、画鋲を、レシピ用紙等の用紙の上に刺して、用紙をキッチンの壁に固定し、あるいは、マグネットを、冷蔵庫のドアに当てた用紙上に接触させ、その磁力の吸着力によって、用紙をマグネットと冷蔵庫ドアとで挟んでドア上に固定する。そして、アラーム付きのタイマー等を使って料理時間を計りながら、料理作業を行う。
このような用紙を固定する画鋲やマグネットとして、例えば、特許文献１及び特許文献２に記載の技術がある。
【先行技術文献】
【特許文献】
【０００３】
【特許文献１】特開２００５−７８０６１号公報
【特許文献２】特開２００２−２２８３４２号公報
【考案の概要】
【考案が解決しようとする課題】
【０００４】
しかし、上記した用紙固定方法では、次のような問題があった。
まず、上記した従来の固定方法では、画鋲やマグネットを用紙の上に載せる必要があるため、料理の出来上がり写真のように、一部分も隠すことなく、写真全体を見せたい場合には、使用することはできない。
また、画鋲やマグネットは、板やドアの表面から脱落のおそれがある。台所や厨房等のように衛生に厳しい所や、学校や幼稚園等の安全性を優先する所では、このような脱落が生じる可能性があるものを使用することは、好ましくない。
特に、画鋲では、孔を用紙等に開けてしまう。孔を開けたくない用紙等を短時間に何回も付け替えたい場合には、画鋲を使用することはできない。
【０００５】
この考案は、上述した課題を解決するためになされたもので、一部分も隠すことなく、貼付物全体を見せることができ、また、脱落のおそれもなく、しかも、貼付物を非破壊で固定することができる多機能ボードを提供することを目的とする。
【課題を解決するための手段】
【０００６】
上記課題を解決するために、請求項１の考案は、ボード状の基材上に、時間の経過を計測可能な計測部とメモ用紙等の貼付物を貼り付けるための貼付部とを備えた多機能ボードであって、貼付部は、誘電体層で被覆された１対の吸着電極と、これら１対の吸着電極に所定の直流電圧を印加するための電源部とを備え、１対の吸着電極による静電気力によって、貼付物を誘電体層の表面に吸着する部分である構成とした。
かかる構成により、所定の直流電圧を、誘電体層で被覆された１対の吸着電極に電源部から印加することができる。かかる電圧印加状態で、メモ用紙等の貼付物を貼付部の誘電体層の表面に近接させると、貼付物と１対の吸着電極との間に逆極の静電気が発生する。この結果、貼付物が、その静電気力によって誘電体層の表面に吸着される。
つまり、この考案の多機能ボードによれば、貼付物を、画鋲やマグネット等を用いずに、貼付部に貼り付けることができるので、ユーザは、貼付物の全体を見ることができると共に、画鋲やマグネット等の脱落を心配することはない。さらに、貼付物が、静電気力によって貼付部表面に吸着されるので、画鋲と異なり、孔を貼付物に開けてしまうおそれものない。この結果、貼付物を、短時間に多数回、貼り付けたり、剥がしたりすることができる。
そして、ユーザは、  ボード状の基材上設けられた計測部を用いて、料理時間等の時間の経過を計測することができる。
【０００７】
請求項２の考案は、請求項１に記載の多機能ボードにおいて、電源部は、電池と、この電池の電圧を昇圧して１対の吸着電極に印加する昇圧回路とを有する構成とした。
かかる構成により、電源部を駆動させると、昇圧回路によって、電池の電圧が所定の直流電圧まで昇圧されて、１対の吸着電極に印加される。
【０００８】
請求項３の考案は、請求項１に記載の多機能ボードにおいて、電源部は、交流電圧を直流電圧に変換する交流／直流変換器と、交流／直流変換器からの出力電圧を昇圧して１対の吸着電極に印加する昇圧回路とを有する構成とした。
かかる構成により、電源部を駆動させると、交流／直流変換器によって、交流電圧が直流電圧に変換される。そして、この直流電圧が、昇圧回路によって、所定の直流電圧まで昇圧されて、１対の吸着電極に印加される。
【０００９】
請求項４の考案は、請求項１ないし請求項３のいずれかに記載の多機能ボードにおいて、計測部は、時計又はタイマーの一方又は双方を有する構成とした。
【００１０】
請求項５の考案は、請求項１ないし請求項４のいずれかに記載の多機能ボードにおいて、吸着電極は、カーボンインクで形成されている構成とした。
【考案の効果】
【００１１】
以上詳しく説明したように、この考案の多機能ボードによれば、貼付物を貼付部の表面に静電吸着することができるので、一部分も隠すことなく、貼付物全体を見せることができる、という優れた効果ある。また、脱落のおそれがあるものを用いることなく、貼り付け作業を行うことができるので、台所や厨房等のように衛生に厳しい所や、学校や幼稚園等の安全性を優先する所においても、安心して使用することができる。さらに、貼付物を、破壊させることなく、短時間に多数回、貼り付けたり、剥がしたりすることができる。
【図面の簡単な説明】
【００１２】
【図１】この考案の第１実施例に係る多機能ボードを示す正面図である。
【図２】多機能ボードの電気回路図である。
【図３】図１の矢視Ａ−Ａ断面図である。
【図４】多機能ボードの使用例を示す正面図である。
【図５】貼付物の吸着状態を示す概略断面図である。
【図６】この考案の第２実施例に係る多機能ボードを一部破断して示す正面図である。
【図７】第２実施例の多機能ボードの一使用例を示す斜視図である。
【考案を実施するための形態】
【００１３】
以下、この考案の最良の形態について図面を参照して説明する。
【００１４】
（実施例１）
図１は、この考案の第１実施例に係る多機能ボードを示す正面図であり、図２は、多機能ボードの電気回路図である。
【００１５】
図１に示すように、この実施例の多機能ボード１−１は、基材としてのボード２と貼付部３と計測部４とを備えている。
【００１６】
ボード２は、貼付部３と計測部４とを組み付けるための長方形状の板体であり、この実施例では、０．５ｍｍ厚の塩化ビニル板で形成されている。ボード２として、他に、アクリル板やＳＵＳ板を用いることもできる。
【００１７】
貼付部３は、メモ用紙やレシート、及びレシピ用紙等の貼付物を貼り付けるための部分であり、１対の吸着電極３１，３２と電源部３０とで構成されている。
【００１８】
吸着電極３１，３２は、図２に示すように、それぞれ櫛歯状に形成され、互いに噛み合うように、対向配置されている。
図３は、図１の矢視Ａ−Ａ断面図である。
図３に示すように、吸着電極３１，３２は、下側の誘電体層３１ａ上に横並びに配置されている。
吸着電極３１，３２の形成方法として、この実施例ではスクリーン印刷法を用いた。
すなわち、カーボンインクを、図示しないスキージとマスクとを用いて、ＰＥＴ（ポリエチレンテレフタラート）を素材とする誘電体層３１ａ上にスクリーン印刷し、硬化させて、吸着電極３１，３２を形成する。しかる後、誘電体層３２ａを図示しないアクリル系の接着剤で、吸着電極３１，３２上に積層して貼り付ける。
このようにして、誘電体層３１ａ，３２ａで被覆された１対の吸着電極３１，３２を形成し、この誘電体層３１ａ，３２ａに被覆された吸着電極３１，３２を、図１及び図３に示すように、ボード２上に貼り付けた。
【００１９】
図２に示すように、電源部３０は、これら１対の吸着電極３１，３２に所定の直流電圧を印加するための部分であり、電池３５と昇圧回路３６とを有する。
電池３５は、この実施例では、１．５Ｖ又は３．０Ｖの乾電池である。
昇圧回路３６は、この実施例では、電池３５の直流電圧を、プラスマイナス２５０Ｖ又は５００Ｖに昇圧する回路である。つまり、この昇圧回路３６は、電池３５と吸着電極３１，３２とを接続する配線３０ａ，３０ｂの途中に介在し、電池３５からの直流電圧１．５Ｖ又は３．０Ｖを、プラスマイナス２５０Ｖ又は５００Ｖに昇圧して、吸着電極３１，３２に印加する機能を有する。
【００２０】
かかる構成により、貼付部３の電源部３０をオンにすることで、図示しない貼付物と１対の吸着電極３１，３２との間に静電気が発生し、貼付物がこの静電気力によって誘電体層３２ａ（図３参照）の表面に吸着されることとなる。
このように、貼付部３は、通常の静電チャックとほぼ同じ構造である。しかし、この実施例の貼付部３では、吸着性能を維持しながら、コストダウンを図るために、誘電体層３１ａ，３２ａを安価なＰＥＴで形成すると共に、吸着電極３１，３２をカーボンインクで形成している。つまり、半導体用途程のスペックを要求されない安い材料で貼付部３を製造することで、多機能ボード１−１のコストダウンを図っている。
【００２１】
計測部４は、時間の経過を計測可能な部分であり、この実施例では、時計４０と３つのタイマ４１〜４３とを有する。
時計４０は、現在の日付や時刻を表示する機器であり、アラーム機能を内蔵することが好ましい。また、タイマ４１〜４３は、スタート操作により時間を刻み、設定した時間が経過すると、内蔵のアラームが鳴る機器である。これらのタイマ４１〜４３は、ストップ操作により経過時間前にタイマ駆動を停止させることができる。
これら時計４０とタイマ４１〜４３とは、ボード２上に組み付けられ、電池３５に電気的に接続されている。
具体的には、時計４０が、配線４０ａ，４０ｂによって電池３５に接続されている。そして、タイマ４１〜４３が、配線４１ａ，４１ｂ〜４３ａ，４３ｂによって電池３５にそれぞれ接続され、スタート／ストップボタン４１ｃ〜４３ｃが配線４１ａ，４１ｂ〜４３ａ，４３ｂの途中に介設されている。スタート／ストップボタン４１ｃ〜４３ｃは、料理時間等を設定すると共に、タイマ４１〜４３のスタート操作やストップ操作を行うことができるボタンである。
【００２２】
なお、この実施例では、計測部４と貼付部３が電池３５を共用し、１．５Ｖ又は３．０Ｖの直流電圧を時計４０及びタイマ４１〜４３に供給するように構成したが、計測部４への電源と貼付部３への電源を別々に設定しても良い。つまり、電池３５を６Ｖ電池とし、昇圧回路３６を、プラスマイナス１０００Ｖに昇圧可能な回路とする。そして、この昇圧電圧を吸着電極３１，３２にだけ印加するようにする。一方、時計４０とタイマ４１〜４３とには、別体の１．５Ｖ又は３．０Ｖの電池を接続して、これの直流電圧を供給するようにしても良い。
【００２３】
次に、この実施例の多機能ボード１の使用例について説明する。
図４は、多機能ボード１−１の使用例を示す正面図であり、図５は、貼付物の吸着状態を示す概略断面図である。
まず、多機能ボード１−１を台所等に配置して、図４に示す電源部３０の電池３５をオンにする。すると、１．５Ｖ又は３．０Ｖの直流電圧が、電池３５から出力され、昇圧回路３６で昇圧される。そして、プラスマイナス２５０Ｖ又は５００Ｖの昇圧直流電圧が、貼付部３の吸着電極３１，３２に印加される。これと並行して、１．５Ｖ又は３．０Ｖの直流電圧が電池３５から時計４０とタイマ４１〜４３とに供給される。
かかる状態で、貼付物であるメモ用紙Ｍ１やレシピ用紙Ｍ２等を貼り付ける場合には、図５に示すように、メモ用紙Ｍ１やレシピ用紙Ｍ２を貼付部３の表面に近接させる。
すると、例えば、「＋」の電荷が吸着電極３１上の誘電体層３２ａ表面に誘起され、「−」の電荷が吸着電極３２上の誘電体層３２ａ表面に誘起される。これに対応して、貼付物Ｍ１（Ｍ２）の裏面であって吸着電極３１に対向する部位に、逆極「−」の電荷が誘起され、吸着電極３２に対向する部位に、逆極「＋」の電荷が誘起される。
この結果、誘電体層３２ａ側の電荷と、貼付物Ｍ１（Ｍ２）側の逆極の電荷とが静電気力で引き合い、貼付物Ｍ１（Ｍ２）が、貼付部３の誘電体層３２ａの表面に吸着される。
つまり、この実施例の多機能ボード１−１によれば、貼付物であるメモ用紙Ｍ１やレシピ用紙Ｍ２を、画鋲やマグネット等を用いずに、貼り付けることができる。
【００２４】
このように、この実施例の多機能ボード１−１によれば、画鋲やマグネット等でメモ用紙Ｍ１やレシピ用紙Ｍ２等で隠すことなく、貼り付けることができるので、ユーザは、メモ用紙Ｍ１やレシピ用紙Ｍ２等の全体を見ることができる。
そして、画鋲やマグネット等の脱落を心配することはなく、また、孔をメモ用紙Ｍ１やレシピ用紙Ｍ２等に開けてしまうおそれものない。
【００２５】
そして、ユーザは、図４に示す計測部４の時計４０によって、現在の日時を知ることができ、料理が必要な時間になったと判断した場合や、内蔵のアラームが鳴った場合には、料理を始めたり、終了したりすることができる。
具体的には、料理時間を、タイマ４１〜４３のスタート／ストップボタン４１ｃ〜４３ｃによって設定した後、スタート操作する。これにより、所定の料理時間が経過すると、アラームが鳴る。また、タイマ４１〜４３を途中で停止させたい場合には、スタート／ストップボタン４１ｃ〜４３ｃによってストップ操作を行う。
したがって、台所等の水回りでは 料理の際に、時計やタイマを置く場所がない場合が多いが、この実施例の多機能ボード１−１を用いることで、かかる心配をすることなく、料理に専念することができる。
【００２６】
（実施例２）
図６は、この考案の第２実施例に係る多機能ボードを一部破断して示す正面図であり、図７は、第２実施例の多機能ボードの一使用例を示す斜視図である。
【００２７】
図６に示すように、この実施例の多機能ボード１−２は、商用の電源を利用することができる点が、上記第１実施例と異なる。
この実施例の多機能ボード１−２も、上記第１実施例の多機能ボード１−１と同様に、ボード２と貼付部３と計測部４とを備えているが、貼付部３の電源部３０’の電気的構造が、上記電源部３０の電気的構造と異なる。
【００２８】
具体的には、電源部３０’は、昇圧回路３６と、交流／直流変換器としての安定化電源３７とで構成されている。
安定化電源３７は、交流電圧を直流電圧に変換する機器であり、この実施例では、商用電源である交流電圧１００Ｖを直流電圧３Ｖ〜１２Ｖに変換する。
昇圧回路３６は、上記第１実施例と同様に、安定化電源３７からの直流電圧３Ｖ〜１２Ｖを、プラスマイナス２５０〜１０００Ｖに昇圧して、吸着電極３１，３２に印加する機能を有する。
詳しくは、昇圧回路３６が、安定化電源３７と吸着電極３１，３２とを接続する配線３０ａ，３０ｂの途中に介設され、時計４０が、配線４０ａ，４０ｂによって安定化電源３７に接続されている。そして、タイマ４１〜４３が、配線４１ａ，４１ｂ〜４３ａ，４３ｂによって安定化電源３７にそれぞれ接続され、スタート／ストップボタン４１ｃ〜４３ｃが配線４１ａ，４１ｂ〜４３ａ，４３ｂの途中に介設されている。
【００２９】
次に、この多機能ボード１−２の一使用例について説明する。
図７に示すように、この実施例の多機能ボード１−２は、冷蔵庫１００のドア１０１に組み付けて用いることができる。
具体的には、多機能ボード１−２のボード２を冷蔵庫１００のドア１０１に取り付ける。または、冷蔵庫１００のドア１０１をボード２の代わりに用い、貼付部３や計測部４をドア１０１に組み付ける。
そして、図６に示す安定化電源３７の入力端３８を商用電源のコンセントに直接接続するか、冷蔵庫１００本体に電気的に接続する。
かかる状態で、電源部３０’をオンにすると、安定化電源３７によって、１００Ｖの交流電圧が３Ｖ〜１２Ｖの直流電圧に変換される。そして、この直流電圧が、昇圧回路３６によって、プラスマイナス２５０Ｖ〜１０００Ｖの直流電圧まで昇圧され、この直流電圧が１対の吸着電極３１，３２に印加される。
これにより、メモ用紙Ｍ１やレシピ用紙Ｍ２等の貼付物を多機能ボード１−２に近接させるだけで、これらの貼付物を貼付部３に簡単に貼り付けることができる。また、これらの貼付物を簡単に貼付部３から剥がすことができる。そして、計測部４によって、現時点での日付と時刻を視認したり、料理時間を設定することができる。
その他の構成，作用及び効果は、上記第１実施例と同様であるので、その記載は省略する。
【００３０】
なお、この考案は、上記実施例に限定されるものではなく、考案の要旨の範囲内において種々の変形や変更が可能である。  
例えば、上記実施例では、吸着電極３１，３２をカーボンインクで形成したが、銅等の金属をエッチングやスパッタリングすることで、吸着電極３１，３２を誘電体層３１ａ上に形成することもできる。
また、上記実施例では、誘電体層３１ａ，３２ａをＰＥＴで形成したが、これに限定されるものではなく、ポリイミド、ポリプロピレン、塩化ビニル等で形成することもできる。
【００３１】
また、上記実施例では、計測部４を、時計４０とタイマ４１〜４３とで構成したが、計測部４は、時計とタイマの双方を備えることは必須ではなく、いずれか一方を備えていればよい。
【符号の説明】
【００３２】
１−１，１−２…多機能ボード、  ２…ボード、  ３…貼付部、  ４…計測部、  ３０，３０’…電源部、  ３０ａ，３０ｂ，４１ａ，４１ｂ〜４３ａ，４３ｂ…配線、  ３１，３２…吸着電極、  ３１ａ，３２ａ…誘電体層、  ３５…電池、  ３６…昇圧回路、  ３７…安定化電源、  ３８…入力端、  ４０…時計、  ４１ｃ〜４３ｃ…スタート／ストップボタン、  ４１〜４３…タイマ、  １００…冷蔵庫、  １０１…ドア、  Ｍ１，Ｍ２…貼付物。
【図１】
0003197389.tif 000003
【図２】
0003197389.tif 000004
【図３】
0003197389.tif 000005
【図４】
0003197389.tif 000006
【図５】
0003197389.tif 000007
【図６】
0003197389.tif 000008
【図７】
0003197389.tif 000009